(57)【要約】【課題】  手振れが起こりやすい位置に設けられたレリーズボタンにより撮影実行の指示がなされる場合においても、手振れの影響を極力排して良好な画像を撮影できるカメラ付き携帯情報端末を提供する。【解決手段】  カメラ付き携帯電話機１は、携帯電話機１を閉じた状態でレリーズボタン７が押下されたら、標準プログラム線図を用いてシャッタ速度と撮影感度と絞り値との組み合わせを決定し、露出制御を行う。一方、携帯電話機１を開いた状態でレリーズボタン６が押圧されたら、標準プログラム線図よりもシャッタ速度が速く設定されている手ぶれ防止プログラム線図を用いてシャッタ速度と撮影感度と絞り値との組み合わせを決定し、露出制御を行う。【選択図】  図１
2005286790.tif 000002
【特許請求の範囲】
【請求項１】
撮影手段を有する携帯端末装置であって、
複数のレリーズボタンと、
所定の露出値に基づいて前記撮影手段の露出を決定するための複数種類の露出決定データを記憶する記憶手段と、
前記複数のレリーズボタンのうちのどのレリーズボタンによって撮影実行の指示がなされるかを検知する検知手段と、
前記検知手段による検知結果に応じた前記露出決定データを用いて前記露出を決定する露出決定手段とを備える携帯端末装置。
【請求項２】
請求項１記載の携帯端末装置であって、
前記複数種類の露出決定データは、前記撮影手段のシャッタ速度と絞り値との組み合わせが設定されるデータであり、相対的に速い前記シャッタ速度が設定される露出決定データと、相対的に遅い前記シャッタ速度が設定される露出決定データとを含み、
前記露出決定手段は、前記複数のレリーズボタンのうち、前記携帯端末装置が不安定な状態で押下される可能性が相対的に高いレリーズボタンによって撮影実行の指示がなされたことを検知した場合、前記相対的に速い前記シャッタ速度が設定される露出決定データを用いて前記露出を決定し、前記可能性が相対的に低いレリーズボタンによって撮影実行の指示がなされたことを検知した場合、前記相対的に遅い前記シャッタ速度が設定される露出決定データを用いて前記露出を決定するものである携帯端末装置。
【請求項３】
請求項１記載の携帯端末装置であって、
前記複数種類の露出決定データは、前記撮影手段のシャッタ速度と絞り値と撮影感度との組み合わせが設定されるデータであり、相対的に速い前記シャッタ速度及び相対的に高い前記撮影感度が設定される露出決定データと、相対的に遅い前記シャッタ速度及び相対的に低い前記撮影感度が設定される露出決定データとを含み、
前記露出決定手段は、前記複数のレリーズボタンのうち、前記携帯端末装置が不安定な状態で押下される可能性が相対的に高いレリーズボタンによって撮影実行の指示がなされたことを検知した場合、前記相対的に速い前記シャッタ速度及び相対的に高い前記撮影感度が設定される露出決定データを用いて前記露出を決定し、前記可能性が相対的に低いレリーズボタンによって撮影実行の指示がなされたことを検知した場合、前記相対的に遅い前記シャッタ速度及び相対的に低い前記撮影感度が設定される露出決定データを用いて前記露出を決定するものである携帯端末装置。
【請求項４】
請求項１〜３のいずれか記載の携帯端末装置であって、
前記携帯端末装置は、開閉自在に連結された２つの筐体から構成されるものである携帯端末装置。
【発明の詳細な説明】
【技術分野】
【０００１】
本発明は、デジタルカメラ等の撮影手段を有する携帯端末装置に関する。
【背景技術】
【０００２】
カメラ付き携帯電話機には、第１の筐体と第２の筐体とを開閉自在に連結した折り畳み型のものや、第１の筐体と第２の筐体とをスライドさせるようにして回動させるように構成したリボルバ型のものがある。
【０００３】
この種のカメラ付き携帯電話機は、複数箇所、例えば、ダイヤルボタン等と同じ面及び本体側面にレリーズボタンが設けられており、第１の筐体と第２の筐体とを互いに重ね合わせた状態（以下、閉じた状態と記す）でも、重ね合わせない状態（以下、開いた状態と記す）でも、撮影ができるように構成されている。そして多くの場合、本体側面のレリーズボタンは、携帯電話機を閉じた状態にして、通常のカメラのように横長の姿勢に保持したときに右上部に配置されるようになっている。
【０００４】
したがって、この種のカメラ付き携帯電話機は、閉じた状態であれば、通常のカメラのように両手でしっかりと持って右手の人差し指でレリーズボタンを操作できるため、比較的手振れの影響の少ない撮影を行うことができる。一方、開いた状態では、携帯電話機を片手で持ちながらレリーズボタンを操作して撮影を行うことが多いため、手振れしやすいという問題がある。
【０００５】
カメラの撮影時における姿勢を考慮した公知技術として、カメラの複数箇所にレリーズボタンを設け、どのレリーズボタンが押されたかによって、カメラの姿勢（縦か横か）を検知し、姿勢に応じた露出演算を行うというものがある。ここでいう露出演算とは、カメラの姿勢によって相対的に変化する空等の位置を考慮した測光時の重み付け演算のことである。（特許文献１参照）
【０００６】
【特許文献１】特開平８−１１４８３０号公報
【発明の開示】
【発明が解決しようとする課題】
【０００７】
しかしながら、特許文献１記載の技術は、被写界を複数の測光領域に分割して測光するカメラにおいて、カメラの姿勢毎に測光時の重み付け演算の仕方を変えることにより、どの姿勢で撮影を行う場合でも最適な露出値を演算し得るようにしたものであり、手振れしやすい位置に設けられたレリーズボタンにより撮影実行の指示がなされる場合の、撮影時における手振れの影響を軽減するものではない。
【０００８】
本発明は上記事情に鑑みてなされたものであり、手振れが起こりやすい状態で押下されるレリーズボタンにより撮影実行の指示がなされる場合においても、手振れの影響を極力排して良好な画像を撮影することが可能な携帯端末装置を提供することを目的とする。
【課題を解決するための手段】
【０００９】
本発明の携帯端末装置は、撮影手段を有する携帯端末装置であって、複数のレリーズボタンと、所定の露出値に基づいて前記撮影手段の露出を決定するための複数種類の露出決定データを記憶する記憶手段と、前記複数のレリーズボタンのうちのどのレリーズボタンによって撮影実行の指示がなされるかを検知する検知手段と、前記検知手段による検知結果に応じた前記露出決定データを用いて前記露出を決定する露出決定手段とを備える。
【００１０】
又、本発明の携帯端末装置は、前記複数種類の露出決定データが、前記撮影手段のシャッタ速度と絞り値との組み合わせが設定されるデータであり、相対的に速い前記シャッタ速度が設定される露出決定データと、相対的に遅い前記シャッタ速度が設定される露出決定データとを含み、前記露出決定手段が、前記複数のレリーズボタンのうち、前記携帯端末装置が不安定な状態で押下される可能性が相対的に高いレリーズボタンによって撮影実行の指示がなされたことを検知した場合、前記相対的に速い前記シャッタ速度が設定される露出決定データを用いて前記露出を決定し、前記可能性が相対的に低いレリーズボタンによって撮影実行の指示がなされたことを検知した場合、前記相対的に遅い前記シャッタ速度が設定される露出決定データを用いて前記露出を決定するものである。
【００１１】
上記によれば、例えば、複数種類のレリーズボタンを、携帯端末装置が不安定な状態で押下される可能性が相対的に低いレリーズボタンＡと、携帯端末装置が不安定な状態で押下される可能性が相対的に高いレリーズボタンＢとの２つとすると、レリーズボタンＢが押下された場合には、露出決定手段が、相対的に速いシャッタ速度が設定される露出決定データを用いて露出を決定する。このように、携帯端末装置が不安定な状態で押下される可能性が相対的に高い場合、つまり、手振れが起こりやすい場合には、手振れによる影響を極力抑えることが可能な露出決定データを用いて露出を決定することができるため、レリーズボタンＢにより撮影実行の指示がなされる場合でも、手振れの影響を極力排して良好な画像を撮影することができる。
【００１２】
又、本発明の携帯端末装置は、前記複数種類の露出決定データが、前記撮影手段のシャッタ速度と絞り値と撮影感度との組み合わせが設定されるデータであり、相対的に速い前記シャッタ速度及び相対的に高い前記撮影感度が設定される露出決定データと、相対的に遅い前記シャッタ速度及び相対的に低い前記撮影感度が設定される露出決定データとを含み、前記露出決定手段が、前記複数のレリーズボタンのうち、前記携帯端末装置が不安定な状態で押下される可能性が相対的に高いレリーズボタンによって撮影実行の指示がなされたことを検知した場合、前記相対的に速い前記シャッタ速度及び相対的に高い前記撮影感度が設定される露出決定データを用いて前記露出を決定し、前記可能性が相対的に低いレリーズボタンによって撮影実行の指示がなされたことを検知した場合、前記相対的に遅い前記シャッタ速度及び相対的に低い前記撮影感度が設定される露出決定データを用いて前記露出を決定するものである。
【００１３】
上記によれば、例えば、複数種類のレリーズボタンを、携帯端末装置が不安定な状態で押下される可能性が相対的に低いレリーズボタンＡと、携帯端末装置が不安定な状態で押下される可能性が相対的に高いレリーズボタンＢとの２つとすると、レリーズボタンＢが押下された場合には、露出決定手段が、相対的に速いシャッタ速度及び相対的に高い撮影感度が設定される露出決定データを用いて露出を決定する。このように、携帯端末装置が不安定な状態で押下される可能性が相対的に高い場合、つまり、手振れが起こりやすい場合には、手振れによる影響を極力抑えることが可能な露出決定データを用いて露出を決定することができるため、レリーズボタンＢにより撮影実行の指示がなされる場合でも、手振れの影響を極力排して良好な画像を撮影することができる。
【発明の効果】
【００１４】
本発明によれば、手振れが起こりやすい状態で押下されるレリーズボタンにより撮影実行の指示がなされる場合においても、手振れの影響を極力排して良好な画像を撮影することが可能な携帯端末装置を提供することができる。
【発明を実施するための最良の形態】
【００１５】
図１は、本発明を実施するための最良の形態を説明するためのカメラ付き携帯電話機の正面図（開いた状態の正面図）である。
このカメラ付き携帯電話機（以下、単に携帯電話機と記す）１は、上筐体１Ａと下筐体１Ｂとをヒンジ部２を介して互いに開閉自在に連結してなる折り畳み型の携帯電話機である。上筐体１Ａと下筐体１Ｂの互いの最大回動角度は略１８０°である。
【００１６】
上筐体１Ａの前面１Ａａ（携帯電話機１を閉じたときに下筐体１Ｂと対向する面）には、主表示部３ａが設けられている。また、上筐体１Ａの背面１Ａｂには、図２（ｂ）に示すように、主表示部３ａよりも表示面積の小さい副表示部３ｂが設けられている。主表示部３ａには、この携帯電話機１の各種状態（電波状態、バッテリ残量、等）や電話番号、送受信メールの内容等の他、撮影中の画像や撮影済みの画像等が表示される。副表示部３ｂは、本体を閉じた状態にして撮影を行う際にファインダとして機能する。主表示部３ａ及び副表示部３ｂには、ＬＣＤ（Liquid Crystal Display）やＥＬ（Electro Luminescence）表示パネル等が使用される。
【００１７】
ヒンジ部２には、撮影レンズ４ａを有する撮影部４が内蔵されている。撮影部４は、携帯電話機１を開閉したときに上筐体１Ａと共に回動する。そして、携帯電話機１を閉じた状態（図２（ｂ）の状態）のときには、撮影レンズ４ａが完全に下筐体１Ｂ側に向き、携帯電話機１を開いた状態（図１の状態）のときには、撮影レンズ４ａが下筐体１Ｂの前面１Ｂａ（本体を閉じたときに上筐体１Ａと対向する面）とほぼ同じ向きになるように構成されている。
【００１８】
下筐体１Ｂの前面１Ｂａには、ダイヤルボタン等と共にカメラモードボタン５とレリーズボタン６が設けられている。また、下筐体１Ｂの側面１Ｂｃには、レリーズボタン７が設けられている。レリーズボタン７は、図２（ｂ）に示すように、携帯電話機１を閉じた状態にして通常のカメラのように横長の姿勢に保持したときに右上部に配置されるようになっている。
【００１９】
また、下筐体１Ｂの前面１Ｂａのヒンジ部２近傍には、携帯電話機１の開閉状態を検知するための状態検知スイッチ８が設けられている。この状態検知スイッチ８は、携帯電話機１を閉じたときに、上筐体１Ａ側に設けられた突起部９によって押圧される。すなわち、携帯電話機１を閉じた状態の時に状態検知スイッチ８がオンし、携帯電話機１を開いた状態のときに状態検知スイッチ８がオフするようになっている。状態検知スイッチ８のオン／オフ信号は後述するシステム制御部１８（図３）に送られる。
【００２０】
図３は、本発明を実施するための最良の形態を説明するためのカメラ付き携帯電話機の概略構成を示す図である。
図３に示すように、携帯電話機１は、撮影部４と、アナログ信号処理部１０と、Ａ／Ｄ変換部１１と、駆動部１２と、ストロボ１３と、露出計１４と、デジタル信号処理部１５と、圧縮／伸張処理部１６と、表示部１７と、システム制御部１８と、内部メモリ１９と、メディアインタフェース２０と、記録メディア２１と、操作部２２と、ＲＯＭ２３とを備える。デジタル信号処理部１５、圧縮／伸張処理部１６、表示部１７、システム制御部１８、内部メモリ１９、メディアインタフェース２０、及びＲＯＭ２３は、システムバス２４に接続されている。携帯電話機１は、この他に、通信機能等も備える。
【００２１】
撮影部４は、撮影レンズ４ａ、絞り４ｂ、シャッタ４ｃ、及び撮像デバイス４ｄを内蔵している。撮影レンズ４ａは、被写体の光学像を絞り４ｂ及びシャッタ４ｃを通して撮像デバイス２ｄの受光面に結像させる。絞り４ｂは、撮像デバイス４ｄの受光面に到達する光量を調節する。シャッタ４ｃは、レリーズボタン６又はレリーズボタン７が押下されると作動し、設定されたシャッタスピードで撮像デバイス４ｄの受光面を露光する。撮像デバイス４ｄは、受光した被写体の光学像を画像信号に変換し、アナログ信号処理部１０に出力するものであり、ＣＣＤやＣＭＯＳ等の撮像素子が用いられる。
【００２２】
撮影に際しては、駆動部１２を介して光学系の制御が行われる。撮像素子として利用されるＣＣＤイメージセンサ等の固体撮像素子は、レリーズボタン６又は７の押下操作を契機として、所定のタイミングで、駆動部１２に含まれるタイミングジェネレータ（図３ではＴＧと記載）からの駆動信号によって駆動される。駆動部１２は、システム制御部１８によって所定の駆動信号を出力する。
【００２３】
アナログ信号処理部１０は、撮影部４で得られた画像信号に所定のアナログ信号処理を施す。Ａ／Ｄ変換部１１は、アナログ信号処理部１０で処理後のアナログ信号をデジタル信号に変換する。Ａ／Ｄ変換部１１の出力は、いわゆるＲＡＷ画像データとしてデジタル信号処理部１５に送られる。
【００２４】
デジタル信号処理部１５は、Ａ／Ｄ変換部１１からのデジタル画像データに対して、操作部２２によって設定された動作モードに応じたデジタル信号処理を行う。デジタル信号処理部１５が行う処理には、黒レベル補正処理（ＯＢ処理）、リニアマトリクス補正処理、ホワイトバランス調整処理、ガンマ補正処理、画像合成処理、同時化処理、及びＹ／Ｃ変換処理等が含まれる。デジタル信号処理部１５は、例えばＤＳＰで構成される。
【００２５】
圧縮／伸張処理部１６は、デジタル信号処理部１５で得られたＹ／Ｃデータに対して圧縮処理を施すとともに、記録メディア２１から得られた圧縮画像データに対して伸張処理を施す。
【００２６】
表示部１７は、例えばＬＣＤ表示装置を含んで構成され、撮影されてデジタル信号処理を経た画像データに基づく画像を表示する。記録メディア２１に記録された圧縮画像データを伸張処理して得た画像データに基づく画像の表示も行う。また、撮影時のスルー画像、デジタルカメラの各種状態、操作に関する情報の表示等も可能である。
【００２７】
内部メモリ１９は、例えばＤＲＡＭであり、デジタル信号処理部１５やシステム制御部１８のワークメモリとして利用される他、記録メディア２１に記録される撮影画像データを一時的に記憶するバッファメモリや表示部１７への表示画像データのバッファメモリとしても利用される。メディアインタフェース２０は、メモリカード等の記録メディア２１との間のデータの入出力を行うものである。
【００２８】
操作部１３は、デジタルカメラ使用時の各種操作を行うものであり、カメラモードボタン５と、レリーズボタン６、７と、状態検知スイッチ８とを含む。
【００２９】
露出計１４は、各種測光方式により測光を行い、露出値（ＥＶ値）を算出する。
【００３０】
カメラモードボタン５は、携帯電話機１をカメラモード（カメラ機能を作動させた状態）に切り替えるためのボタンである。レリーズボタン６、７は、携帯電話機１に撮影開始を指示するための操作子である。レリーズボタン６、７のどちらか一方を押圧操作すると、撮影部４により撮影が実行され、撮像デバイス４ｄ、信号処理部１２、記録メディア２１等による撮像信号の取り込みが行なわれる。その際、露出計１４によって測光が行われ、必要であればストロボ１３が発光駆動される。また、露出計１４による露出値に基づいて露出の決定が行われる。
【００３１】
ＲＯＭ２３には、この携帯電話機１の各種機能を実現するためのプログラム及びデータが記憶されている。このプログラム及びデータには、露出計１４からの露出値に基づいて撮影部４の露出を決定するための２種類の露出決定データが含まれる。
【００３２】
露出決定データとは、露出計１４からの露出値に対して、撮影部４のシャッタ４ｃのシャッタ速度（ＴＶ）と、絞り４ｂの絞り値（ＡＶ）と、撮影感度（ＩＳＯ）との組み合わせが設定されるものである。露出決定データには、第１の露出決定データと第２の露出決定データとの２種類が含まれる。尚、この露出決定データは、２種類以上あっても良い。
【００３３】
図４は、第１の露出決定データを示すプログラム線図であり、以下では、この図を標準プログラム線図という。図５は、第２の露出決定データを示すプログラム線図であり、以下では、この図を手振れ防止プログラム線図という。
図４及び５において、例えば、ＥＶ値が１０の場合、図４の標準プログラム線図によれば、シャッタ速度が７ＴＶ、Ｆ値が２．８、ＩＳＯが１００の組み合わせとなっているが、図５の手振れ防止プログラム線図によれば、シャッタ速度が８ＴＶ、Ｆ値が２．８、ＩＳＯが２００の組み合わせとなっている。このように、標準プログラム線図（第１の露出決定データ）は、相対的に遅いシャッタ速度及び相対的に低い撮影感度が設定されるものであり、手振れ防止プログラム線図（第２の露出決定データ）は、相対的に速いシャッタ速度及び相対的に高い撮影感度が設定されるものである。
【００３４】
システム制御部１８は、ＲＯＭ２３に格納されているプログラムによって動作するプロセッサを主体に構成され、撮影動作を含む携帯電話機１全体の統括制御を行う。システム制御部１８は、レリーズボタン６、７のうちのどのレリーズボタンによって撮影実行の指示がなされるかを検知し、その検知結果に応じたプログラム線図を用いて撮影部４の露出の決定（シャッタ速度、絞り、及び撮影感度の組み合わせの決定）を行い、撮影部４の露出制御及び撮影制御を行う。
【００３５】
次に、上記のように構成された携帯電話機１のカメラモード時の動作について図面を参照して説明する。
図６は、本発明を実施するための最良の形態を説明するためのカメラ付き携帯電話機の動作フローを示す図であり、携帯電話機１が閉じた状態のときはレリーズボタン７のみ使用可能とし、携帯電話機１が開いた状態のときはレリーズボタン６及び７を使用可能とした場合の動作フローを示す図である。
【００３６】
図６に示すように、携帯電話機１のシステム制御部１８は、まず状態検知スイッチ８がオンになっているか否か、すなわち携帯電話機１が閉じた状態か否かを調べる（Ｓ１）。携帯電話機１が閉じた状態であった場合（Ｓ１：Ｙｅｓ）、システム制御部１８は、露出計１４に被写体の輝度を測定させる（Ｓ２）。そして、レリーズボタン７が押下された場合（Ｓ３：Ｙｅｓ）、システム制御部１８は、露出計１４による測定値（測光ＥＶ値）と、図４に示す標準プログラム線図とにより撮影部４の露出を決定する（Ｓ４）。
【００３７】
一方、携帯電話機１が開いた状態であった場合（Ｓ１：Ｎｏ）、システム制御部１８は、露出計１４に被写体の輝度を測定させた後（Ｓ５）、レリーズボタン７が押下されたか否かを調べる（Ｓ６）。そして、レリーズボタン７が押下された場合（Ｓ６：Ｙｅｓ）、システム制御部１８は、露出計１４によるＥＶ値と、図４に示す標準プログラム線図とにより、撮影部４の露出を決定する（Ｓ７）。
【００３８】
一方、レリーズボタン７が押下されずに（Ｓ６：Ｎｏ）、レリーズボタン６が押下された場合（Ｓ８：Ｙｅｓ）、システム制御部１８は、露出計１４によるＥＶ値と、図５に示す手ぶれ防止プログラム線図とにより、撮影部４の露出を決定する（Ｓ９）。システム制御部１８は、このようにして撮影部４の露出を決定（シャッタ速度と撮影感度と絞り値との組み合わせを決定）した後、露出制御を行い、その後、撮影を実行させる制御を行う。
【００３９】
図７は、本発明を実施するための最良の形態を説明するためのカメラ付き携帯電話機の動作フローを示す図であり、携帯電話機１が閉じた状態のときはレリーズボタン７のみ使用可能とし、携帯電話機１が開いた状態のときはレリーズボタン６のみ使用可能とした場合の動作フローを示す図である。
【００４０】
図７に示すように、携帯電話機１のシステム制御部１８は、まず状態検知スイッチ８がオンになっているか否か、すなわち携帯電話機１が閉じた状態か否かを調べる（Ｓ１１）。携帯電話機１が閉じた状態であった場合（Ｓ１１：Ｙｅｓ）、システム制御部１８は、露出計１４に被写体の輝度を測定させる（Ｓ１２）。そして、レリーズボタン７が押下された場合（Ｓ１３：Ｙｅｓ）、システム制御部１８は、露出計１４によるＥＶ値と、図４に示す標準プログラム線図とにより、撮影部４の露出を決定する（Ｓ１４）。
【００４１】
一方、携帯電話機１が開いた状態であった場合（Ｓ１１：Ｎｏ）、システム制御部１８は、露出計１４に被写体の輝度を測定させた後（Ｓ１５）、レリーズボタン６が押下されたか否かを調べる（Ｓ１６）。そして、レリーズボタン６が押下された場合（Ｓ１６：Ｙｅｓ）、システム制御部１８は、露出計１４によるＥＶ値と、図５に示す手ぶれ防止プログラム線図とにより、撮影部４の露出を決定する（Ｓ１７）。システム制御部１８は、このようにして撮影部４の露出を決定（シャッタ速度と撮影感度と絞り値との組み合わせを決定）した後、決定した露出で露出制御を行い、その後、撮影を実行させる制御を行う。
【００４２】
携帯電話機１では、レリーズボタン６を押下する場合、利用者は下筐体１Ｂを片手で把持しながら押下することが多い。この場合、利用者が片手で携帯電話機１を持っていることと、携帯電話機１は開いた状態で縦に細長くなっているために上筐体１Ａが安定しないこととから、携帯電話機１が不安定な状態でレリーズボタン６が押下されるため、撮影部４により撮影される画像には手振れによる影響が出てしまう。ところが、携帯電話機１によれば、レリーズボタン６が押下された場合には、図５に示すプログラム線図を用いて、撮影部４の露出を決定するようにしている。このため、シャッタ速度を速くすることが可能となり、手振れが起こりやすい状況でも、その手振れを防止することができる。
【００４３】
一方で、レリーズボタン７を押下する場合、閉じた状態では、利用者は上筐体１Ａと下筐体１Ｂとを両手で把持しながら押下することが多く、開いた状態では、左手に上筐体１Ａを持ち、右手に下筐体１Ｂを持ってレリーズボタン７を押下することが多い。この場合、利用者は両手で携帯電話機１を持っているために、携帯電話機１が安定した状態でレリーズボタン７が押下される。したがって、撮影部４により撮影される画像に手振れによる影響が出ることは少ない。そこで、携帯電話機１では、レリーズボタン７が押下された場合には、図４に示すプログラム線図を用いて、撮影部４の露出を決定する。このため、シャッタ速度を速くせずに撮影を行うことができる。
【００４４】
このように、携帯電話機１は、利用者が押下するレリーズボタンによって、シャッタ速度、絞り値、及び撮影感度等を柔軟に変更することができるため、携帯電話機１の撮影状況に応じた最適な画像を得ることができる。
【００４５】
尚、上記では、携帯電話機を例にして説明したが、本形態は、カメラ等の撮影手段と、複数のレリーズボタンとを有する携帯端末装置（ＰＤＡやデジタルカメラ等）において有効に適用可能である。特に、携帯端末装置が不安定な状態で押下される可能性が相対的に高いレリーズボタンと、携帯端末装置が不安定な状態で押下される可能性が相対的に低いレリーズボタンとを有するような携帯端末装置の場合において効果が大きい。
【００４６】
又、上記では、露出計１４からの露出値を用いて露出を決定しているが、露出値はマニュアルで設定されたものを用いても良い。
【００４７】
又、上記では、露出決定データを、シャッタ速度、絞り値、及び撮影感度の組み合わせが設定されるデータであると定義したが、露出決定データを、撮影感度は一定にして、シャッタ速度及び絞り値の組み合わせのみが設定されるデータであるとしても、上記の効果を得ることができる。手振れ防止のためには、シャッタ速度を速くすることが有効であるため、レリーズボタン６が押下されたときには、最低限、シャッタ速度が速くなるようにすることができれば良い。
【００４８】
又、上記では、携帯電話機１の２箇所にレリーズボタンが設けられている場合を例にとり説明したが、本形態は、レリーズボタンが３箇所以上設けられている場合にも有効に適用可能である。
【００４９】
又、上記では、折り畳み型の携帯電話機を例にして説明したが、本形態は、第１の筐体と第２の筐体とをスライドさせるようにして回動させるように構成したリボルバ型の携帯電話機にも有効に適用可能である。又、折り畳み型以外のバータイプの携帯電話機にも有効に適用可能である。
【図面の簡単な説明】
【００５０】
【図１】本発明を実施するための最良の形態を説明するためのカメラ付き携帯電話機の正面を示す図
【図２】（ａ）は図１に示すカメラ付き携帯電話機の側面を示す図。（ｂ）は図１に示すカメラ付き携帯電話機の閉じた状態の正面を示す図。
【図３】本発明を実施するための最良の形態を説明するためのカメラ付き携帯電話機の概略内部構成を示す図
【図４】本発明を実施するための最良の形態を説明するためのカメラ付き携帯電話機のＲＯＭに格納されている２種類の露出決定データのうちの一方を示すプログラム線図。
【図５】本発明を実施するための最良の形態を説明するためのカメラ付き携帯電話機のＲＯＭに格納されている２種類の露出決定データのうちの他方を示すプログラム線図。
【図６】本発明を実施するための最良の形態を説明するためのカメラ付き携帯電話機の動作フローを示す図
【図７】本発明を実施するための最良の形態を説明するためのカメラ付き携帯電話機の動作フローを示す図
【符号の説明】
【００５１】
１  カメラ付き携帯電話機
１Ａ  上筐体
１Ｂ  下筐体
２  ヒンジ部
４  撮影部
５  カメラモードボタン
６、７  レリーズボタン
８  状態検知スイッチ
【図１】
2005286790.tif 000003
【図２】
2005286790.tif 000004
【図３】
2005286790.tif 000005
【図４】
2005286790.tif 000006
【図５】
2005286790.tif 000007
【図６】
2005286790.tif 000008
【図７】
2005286790.tif 000009